(57)【特許請求の範囲】
【請求項１】
重ねられた複数枚の同一大きさの用紙の表側の上の用紙がその下の用紙より平行に順次下辺側にずらされて表出により形成された連続した図形表示部の全面に図形が表示されるとともに各用紙の図形表示部を除く部分に形成された情報表示部に図形表示部に表示された部分についての情報が表示され、
前記重ねられた複数枚の用紙が平行に順次ずらされることにより各用紙の裏面に表側の前記順次下辺側にずらされる方向と逆の方向に形成された連続した図形表示部の全面に表面と異なる図形が表示されるとともに各用紙の図形表示部を除く部分に形成された情報表示部に図形表示部に表示された部分についての情報が表示され、
前記重ねられた各用紙の前記順次ずらされる方向に平行の片側の一辺に形成された綴り孔と、各用紙の図形表示部が隠れないように情報表示部に重なる、各用紙と異なる情報表示用用紙の前記順次ずらされる方向に平行の片側の一辺に形成された綴り孔に通して各用紙と情報表示用用紙を綴じるリングを有する綴り具を備えたことを特徴とする図形とその情報が表示されている冊子。
【発明の詳細な説明】
【技術分野】
【０００１】
本発明は、旅行ガイドブックのような図形とその情報が表示されている冊子に関し、特に図形に表示されている箇所の拡大図などの情報を図形から簡単に検索することができる冊子に関する。
【背景技術】
【０００２】
地図と地図に示されている場所の情報が表示されている旅行ガイドブック、道路地図、地図帳、星座学習書などに、地図や星座のような図形とその説明などの情報が表示されている冊子が利用されている。
【０００３】
図形とその情報が表示されている冊子として、例えば、旅行ガイドブックの場合には、観光地およびその周辺を含めた地図が表示され、地図は区分けされ、各区分には、その区分の情報が表示されているページや見出し番号が表示されている。該当ページには、選択した場所の拡大地図、名所、レストラン、ホテルあるいはショッピングなどの各種の情報が表示されている。
【０００４】
また、道路地図の場合には、広域地図が地域ごとに区分けされ、区分けされた区分に見出し番号あるいはページが表示されており、その見出し番号あるいはページから区分の拡大地図を検索することができる。
【０００５】
図形として地図を備えている冊子では、利用者が使いやすいように各種の冊子が提案されている。
【０００６】
例えば、特許文献１には、所定の地域を多数の区分に分割し、分割した区分地図をそれぞれ内部の各ページに掲載した地図帳において、地図帳の表紙には、地図帳内に収納した区分地図全体を表す総図を印刷すると共に総図を区分地図毎に分割する分割枠を設け、且つ各分割枠中に各区分地図を掲載したページ番号を印刷した速見表を設け、一方該地図帳の各ページは各々分離独立せしめ、その各ページの背表紙側の辺の部分に多数の孔を設け、全ページを重ねた状態で各孔にリング状の止め具を取り付けた地図帳が記載されている。
【０００７】
また、特許文献２には、表紙に相異な色で印刷した内紙見出し部を形成し、内紙の前後面にも上記内紙見出し部と同一の位置と色で前面見出し部と後面見出し部を形成し、側面から見て相異な色の側面小区分見出し部により迅速に見たい部分を探し出して見られる手帳兼用地図ブックが開示されている。
【０００８】
また、特許文献３には、地図帳のページの隅にインデックスを設け、個々のインデックスは、図案化された全体図のうち、該当する部分図図形表示部を表記し、非該当の部分図を切り欠いた形状にして、製本時に正面から見たとき、個々のインデックスが階段状に並んで、各インデックスの最初のページがすべて認識され、個々の部分図表記部が組み合わさって、全体図を形どっている地図帳が記載されている。
【特許文献１】特開平７−２８７５１３号公報
【特許文献２】特開平６−０９５５８９号公報
【特許文献３】特開２００２−０３６７７４号公報
【発明の開示】
【発明が解決しようとする課題】
【０００９】
前記特許文献１，２に示されている地図帳は、仕切られた区分に示された見出し番号あるいはページから該当ページを探して区分地図のページを開くものである。そのため、全体地図に検索のための区分け線や見出し番号を入れるための加工が必要となる。さらに、ページをめくって該当ページを探すのに手間がかかり、また、一端閉じた後で再度見ようとする場合も、区分地図から該当ページをさがし、該当ページを探すので、すぐには検索できないという難点がある。  
【００１０】
また、特許文献３に記載されている地図帳は、部分図図形表示部ごとに異なる複雑な形状に切り欠いたインデックスを形成しなくてはならないので、部分図図形表示部への切り欠の形成に手間がかかるだけでなく、地図帳の隅に小さな地図を表示しなければならないので、検索箇所が見づらく、探しづらいという問題もある。
【００１１】
以上のとおり、従来、地図などの図形およびその図形についての情報を表示した冊子は情報を検索するのに手間が係っていた。
【００１２】
そこで、本発明は、図形を線や色で区分けしたり、隅に切り欠きを設けたりする必要がなく、図形に示されている箇所の情報が表示されている該当ページを図形から即座に検索することができる、図形とその情報が表示されている冊子を提供するものである。
【課題を解決するための手段】
【００１３】
本発明は重ねられた複数枚の同一大きさの用紙の表側の上の用紙がその下の用紙より平行に順次下辺側にずらされて表出により形成された連続した図形表示部の全面に図形が表示されるとともに各用紙の図形表示部を除く部分に形成された情報表示部に図形表示部に表示された部分についての情報が表示され、前記重ねられた複数枚の用紙が平行に順次ずらされることにより各用紙の裏面に表側の前記順次下辺側にずらされる方向と逆の方向に形成された連続した図形表示部の全面に表面と異なる図形が表示されるとともに各用紙の図形表示部を除く部分に形成された情報表示部に図形表示部に表示された部分についての情報が表示され、前記重ねられた各用紙の前記順次ずらされる方向に平行の片側の一辺に形成された綴り孔と、各用紙の図形表示部が隠れないように情報表示部に重なる、各用紙と異なる情報表示用用紙の前記順次ずらされる方向に平行の片側の一辺に形成された綴り孔に通して各用紙と情報表示用用紙を綴じるリングを有する綴り具を備えたことを特徴とする図形とその情報が表示されている冊子である。
【００１４】
本発明は、旅行のガイドブック、星座表、道路地図、鉄道地図、地下鉄路線図、地図帳、人体、機械、建物など図形を利用する学習書や教材など、全体の図形および部分の拡大図や解説の情報を表示する各種の冊子に適用することができる。例えば、旅行のガイドブックでは、図形表示部に地図を表示し、情報表示部には図形表示部に表示されている場所の拡大地図、ホテル、グルメ情報、ショッピング情報、あるいは名所の歴史など目的に応じて、各種の情報を表示することができる。あるいは星座表の場合では、図形表示部に星座表を表示し、情報表示部には図形表示部に表示されている星座についての星の名前や星座にまつわる神話や占いなどが表示される。あるいは道路地図、鉄道地図、地下鉄路線図は、図形表示部に路線図を表示し、情報表示部には図形表示部に表示されている路線図の拡大図や路線や各駅に関する情報が表示される。また、人体、機械あるいは建物などの学習帳では、図形表示部に人体図、機械あるいは建物の全体図を表示し、情報表示部には図形表示部に表示されている人体の体内、機械あるいは建物の部分の拡大図やその説明が表示される。
【００１５】
用紙を綴じる手段は、リング状の綴じ具を利用する。また、用紙を綴じる箇所は、特に限定されるものではなく上下左右のいずれでもよく、使用目的に応じて使い勝手がよい箇所を綴じればよい。
【００１６】
また、各用紙の大きさは、必ずしも同一のサイズにする必要はなく、異なるサイズでもよい。例えば、下側の用紙は冊子からはみ出ない範囲で大きくし、多くの情報を表示できるようにしてもよい。
【００１７】
各用紙が平行に順次ずらされて表出により、各用紙の裏面にも各用紙の表面と同様に、表側とは逆の方向に連続した図形表示部が形成されるので、連続した図形表示部の全面に表面と異なる図形が表示され、各用紙の図形表示部を除く部分に情報表示部が形成され、情報表示部に図形表示部に表示された部分についての情報が表示され、表側とは逆の方向からめくるようにして図形から情報を検索することができる。
【００１８】
また、図形表示部に示されている部分の情報を表示する情報表示用用紙が、前記情報表示部にさらに重ねられて綴じられるようにすることにより、多くの情報を提供することができる。情報表示用用紙は、図形表示部を隠さない大きさにするか、あるいは情報表示部より大きいサイズの場合、折りたたみ用紙にして図形表示部を隠さないで情報表示部に収まるようにしてもよい。
【００１９】
また、見出しが設けられた仕切シートを介して、図形表示部の全面に異なる図形が表示されている少なくともひとつの別の冊子を重ねて、複数の図形について情報を検索できるようにすることもできる。
【００２０】
また、複数の冊子が綴じられ、見開きにより形成された、各冊子の図形表示部の全面にひとつの図形が表示できるようにして、大きい図を表示してその図の情報を情報表示部に表示できるようにしてもよい。
【発明の効果】
【００２１】
本発明は、検索のために、図形を区分けして区分に該当ページや見出し番号を表示したり、冊子の隅に複雑な切り欠きを設けたりすることなく、図形に表示されている場所から用紙をめくるだけで、直接、その場所の拡大図などの各種情報を簡単に検索することができる。また、冊子を一旦閉じて再度検索しようとする場合でも、図形表示部に表示されている箇所から用紙をめくるだけで難なくすぐに検索することができる。
【００２２】
各用紙の裏面にも各用紙の表面と同様に、表側とは逆の方向に図形表示部と情報表示部が形成され、逆の方向からめくるようにして表側と異なる図形から情報を検索することもできる。
【００２３】
また、本発明は、情報表示部に情報表示用用紙を重ねて綴じることにより、多くの情報を提供することが可能となるだけでなく、さらに、後から情報表示用用紙を綴じて新しい情報を追加、あるいは更新することも可能となる。
【００２４】
また、本発明は、関連のある複数の図形を見出し付仕切シートにより分けて重ねて綴じることにより、関連のある図形から多くの情報に容易にアクセスすることができる。
【００２５】
また、見開きにより形成された図形表示部の全面にひとつの図形が表示できるようにして、大きい図を表示して、多くの情報の検索が可能となる。
【発明を実施するための最良の形態】
【００２６】
本発明の実施例を図により説明する。
【実施例１】
【００２７】
本実施例は、本発明をハワイ島の観光ガイドブックに利用した場合の例である。
【００２８】
図１は本発明の冊子を開いた状態を示す図、図２は本発明の冊子で所定の場所の用紙を開いた状態を示す図である。
【００２９】
図１において、複数の用紙１が重ねられ、綴じられる。本実施例では、綴り具のリング３を用紙１の一側に形成された綴り孔４に通して綴じている。糊付けなど公知の他の綴じ手段を利用して冊子２を形成してもよい。用紙１には、重ねられた上の用紙１が下の用紙１より順次下側にずらされて各用紙１の上部が順次表出されて図形表示部５が形成されている。
【００３０】
各用紙１は同一の大きさであり、且つ重ねられた各用紙１で形成される大きさが平面視でほぼ冊子２の大きさになるように綴じられている。
【００３１】
各用紙１に形成されている図形表示部５が連続して形成されている面に検索の対象となる地図が表示される。図１に示す例では、ハワイ島の全体地図が図形表示部５に表示されている。地図には、道路、空港、名所旧跡、レストランあるいはホテルなどが表示されている。
【００３２】
図２に示すように、各用紙１には図形表示部５を除く下部に、当該図形表示部５に表示された場所の情報が表示されている情報表示部６が形成されている。情報表示部６には、当該図形表示部５に表示された場所周辺の拡大地図、レストランのグルメ情報、名所旧跡の歴史などの情報が適宜表示されている。
【００３３】
なお、各用紙１を同一の大きさにし、ずらす間隔を同じにすれば、同一幅の図形表示部５が連続して形成される。図形表示部５を異なる幅にしたい場合には、用紙の大きさやずらす間隔替えることにより変更することができる。例えば、図形の狭い箇所について情報量が多い場合には、図形表示部５を狭くし、情報表示部６を大きくすることにより多くの情報量を表示することができる。
【００３４】
次に、本実施例の観光ガイドブックの使用方法について説明する。
【００３５】
冊子２の表表紙を開き、ハワイ島の地図が表示されている図形表示部５から目的の場所が表示されている図形表示部５を選ぶ。例えば、図形表示部５から一番上の「像」（カメハメア大王の像）が表示されている図形表示部５を選択し、選択した用紙１の上に重なっている次の用紙１を開くと、その上に重なっているすべての用紙１が重なった状態でともに開いて、図形表示部５に表示されている目的の場所の情報表示部６が表れる。利用者は、情報表示部６に表示されている像にまつわる歴史八人物などの各種の情報を得ることができる。
【００３６】
以上のとおり、地図から目的の場所が表示されている図形表示部５を選ぶと、その用紙１の上側に重なっていた用紙１を一度にめくることができ、即座に目的の場所の情報にアクセスすることができる。
【００３７】
本発明は、情報表示用用紙により選択した場所に関する情報を多く表示できる。
【００３８】
図３は本発明による情報表示用用紙を綴じた冊子の例を示す斜視図である。
【００３９】
用紙１の情報表示部６に別の情報表示用用紙７を図形表示部５が隠れないように重ねて綴じたものである。情報が用紙１の情報表示部６では収まらない場合や、あるいは特に重要な情報を表示したい場合に、情報表示用用紙７を綴じて情報を表示する。図３では、空港付近の拡大図を情報表示用用紙７に表示したものである。なお、情報表示用用紙７は折り畳みできる折り込み用紙であってもよい。
【００４０】
本実施例は、表示する情報量が多くて用紙１の情報表示部６だけでは収まらない場合に、情報表示用用紙７を綴じて多くの情報を表示することができる。また、情報表示用用紙７を追加して最新の情報を表示したり、計画を表示したりすることが可能となる。
【実施例２】
【００４１】
本実施例は複数の地図を綴じた例を示す例である。
【００４２】
例えば、ハワイの観光ガイドブックの場合、実施例１に挙げたハワイ島だけでなく、観光地であるホノルルのあるオアフ島などのほかの島についてもその地図と地図に表示された各観光地の情報が求められる。
【００４３】
図４は本発明による複数の図形とその情報が表示されている冊子の例を示す斜視図である。
【００４４】
本実施例では、実施例１に挙げたハワイ島の冊子の全体地図の上に透明な仕切シート８を重ね、その上に実施例１と同様に図形表示部５と情報表示部６を備えた用紙１を重ねて形成されたオアフ島の冊子が綴られる。オアフ島の冊子には、重ねられた各用紙１により形成された図形表示部５の全面にオアフ島の全体地図が表示され、情報表示部６には、図形表示部５に表示された場所（例えば、ホノルル）の用紙１の情報表示部６には、ホノルルの情報が表示される。
【００４５】
仕切シート８には、見出し片９を設けて、ハワイ島、オアフ島などの見出しを表示し、目的の地図を容易に開くことができるようにする。見出しは、上端、下端あるいは側面に設けることができる。必要に応じて他の島についても、同様にして、仕切シート８を挟んで重ねて行く。仕切シート８を透明にした場合、仕切シート８を開けると、該当する地図が目視、確認できるようにする。なお、仕切シート８は透明でなくてもよい。
【００４６】
本実施例では、仕切シート８を目的の島が表示された見出し片９を摘んで開くと、目的の島の地図が表れる。その後、実施例１で説明したとおり、図形表示部５に表示された場所を開き、その場所の情報を見ることが可能となる。
【００４７】
また、透明な仕切シート８の場合、地図に重ねて、地図が透過した仕切シート８の上に行程を書き込んだり、目的地での予定などを記入したりしておけば、地図上で行動を明確に把握することができる。
【実施例３】
【００４８】
本実施例は見開きの用紙にひとつの図形を表示した例である。
【００４９】
図５は本発明による見開きの用紙に星座表が表示されている冊子の例を示す斜視図である。
【００５０】
星座表のように図形を大きく表示する必要がある場合に、右綴じおよび左綴じした見開きの用紙１ａ，１ｂの図形表示部５の全面に星座表が表示される。なお、星座は季節により見られないものもあるが、図５では、説明のため、星占いの星座を表示している。
【００５１】
各用紙１ａ，１ｂには、実施例１と同様に、図形表示部５を除く下部に、当該図形表示部５に表示された星座に関する情報が表示された情報表示部が形成されている。
【００５２】
本実施例では、図形表示部５から目的の星座が表示されている図形表示部５を選ぶ。例えば、左側の用紙１ａの図形表示部５から目的の星座が表示されている図形表示部５を選択し、選択した用紙１の上に重なっている次の用紙１を開くと、目的の星座についての神話など表示されている情報表示部６が表れる。こうして利用者は、情報表示部６に表示されている各種の情報にアクセスすることができる。同様に、右側の用紙１ｂの図形表示部５から目的の星座を選んで情報を得ることができる。なお、見開きの用紙１ａ、１ｂは、用紙１ａ、１ｂの大きさを有する１枚の用紙を重ねてずらし、中央を綴じ針で綴じて見開きできるようにしてもよい。
【００５３】
図５に示す星座表では星を線で結んだ星座を表示しているが、星座表に線を入れずに夜空に点在する星のみを表示し、見開きの間に挟んだ透明の仕切シート１０に線を入れたり、星座の絵を入れたりして仕切シート１０を星座表に重ねて学習することもできる。また、季節毎の星座表を重ねて綴じてもよい。なお、仕切シート１０は透明でなくてもよく、見出し片を設けるなどして検索できるようにしてもよい。
【００５４】
本実施例は、見開きページにより、大きい図を表示して多くの情報を表示するのに適している。
【図面の簡単な説明】
【００５５】
【図１】本発明の冊子を開いた状態を示す図である。
【図２】本発明の冊子で所定の場所の用紙を開いた状態を示す図である。
【図３】本発明による情報表示用用紙を綴じた冊子の例を示す斜視図である。
【図４】本発明による複数の図形とその情報が表示されている冊子の例を示す斜視図である。
【図５】本発明による見開きの用紙に星座が表示されている冊子の例を示す斜視図である。
【符号の説明】
【００５６】
１，１ａ，１ｂ：用紙      ２：冊子
３：リング                ４：綴り孔
５：図形表示部            ６：情報表示部
７：情報表示用用紙        ８：仕切シート
９：見出し              １０：仕切シート
【図１】
0004590460.tif 000002
【図２】
0004590460.tif 000003
【図３】
0004590460.tif 000004
【図４】
0004590460.tif 000005
【図５】
0004590460.tif 000006